(57)【要約】【課題】本発明では、電池で駆動する電子ロック錠で、電池の容量が低下したのを報知されても電池交換をのびのびにしていて電池が完全に消耗して電子ロック錠が作動不能になり、ドアを開くことが出来なくなって締め出されるというようなことを無くすることを課題とする。を課題とする。【解決手段】本発明では、無線或いは有線で施開錠する電子ロック錠７とこの電子ロック錠を駆動する電池２６の蓄電容量を監視するモニター手段４２を有し、このモニター手段４２が検出する蓄電容量の低下レベルに応じて異なった警告を発信すべく構成した。【選択図】　図６
2004100424.tif 000002
【特許請求の範囲】
【請求項１】
無線或いは有線で施開錠する電子ロック錠（７）とこの電子ロック錠を駆動する電池（２６）の蓄電容量を監視するモニター手段（４２）を有し、このモニター手段（３）が検出する蓄電容量の低下レベルに応じて異なった警報を発信すべく構成してなる電子ロック錠。
【請求項２】
無線或いは有線で施開錠する電子ロック錠（７）とこの電子ロック錠（７）を駆動する電池（２６）の電圧を計測して蓄電容量を監視するモニター手段（４２）を有し、電子ロック錠（７）のロック用ロッド（４）が作動不能になった時に電圧低下を検出して報知するようにした電子ロック錠。
【請求項３】
無線或いは有線で施開錠する電子ロック錠（７）とこの電子ロック錠（７）を駆動する電池（２６）の蓄電容量を監視するモニター手段（４２）を有し、このモニター手段（４２）が駆動容量限界を検出すると開錠動作後に動作停止すべく構成してなる電子ロック錠。
【発明の詳細な説明】
【０００１】
【産業上の利用分野】
本発明は、玄関ドアや車等のドアをロックする錠で、公衆電話や携帯電話或いは無線発信機等で開錠したり施錠したりする電子ロック錠に関する。
【０００２】
【従来の技術】
電子ロック錠を電池で駆動するようにしたものがあるが、これに使われている電池が消耗すると開錠したり施錠したりが出来なくなって外出から帰宅した場合に電池消耗によりドアを開けられなくなってしまうようなことがある。
これを防ぐために、例えば、実公昭６−３３１７２号には電池の容量をモニターして容量が低下すると報知するようにしたものがある。
【０００３】
【発明が解決しようとする課題】
本発明では、電池の容量が低下したのを報知されても電池交換をのびのびにしていて電池が完全に消耗して電子ロック錠が作動不能になり、ドアを開くことが出来なくなって締め出されるというようなことを無くすることを課題とする。
【０００４】
【課題を解決するための手段】
本発明では、無線或いは有線で施開錠する電子ロック錠７とこの電子ロック錠を駆動する電池２６の蓄電容量を監視するモニター手段４２を有し、このモニター手段４２が検出する蓄電容量の低下レベルに応じて異なった警報を発信すべく構成した。
【０００５】
また、無線或いは有線で施開錠する電子ロック錠７とこの電子ロック錠を駆動する電池２６の電圧を計測して蓄電容量を監視するモニター手段４２を有し、電子ロック錠７のロック用ロッド４が作動不能になった時に電圧低下を検出して報知するようにした。
さらに、無線或いは有線で施開錠する電子ロック錠７とこの電子ロック錠７を駆動する電池２６の蓄電容量を監視するモニター手段４０を有し、このモニター手段４２が駆動容量限界を検出すると開錠動作後に動作停止すべく構成した。
【０００６】
【発明の作用及び効果】
前記の構成によれば、蓄電容量の低下レベルに応じて異なった警報を発信するので、使用者が電池の消耗限界が近づきつつあるのを感じて、電池交換を忘れることを防ぐことが出来る。
【０００７】
また、電子ロック錠を駆動する電池２６の消耗状態を電圧計測によって監視するモニター手段３を利用して、ドアが完全閉まらずロック用ロッド４が作動途中で引っ掛かってロックしていない状態であれば報知するので、ドアをロックしたつもりで外出してしまうことを防ぐことが出来る。
【０００８】
さらに、電子ロック錠７を駆動する電池２６の蓄電容量を監視するモニター手段３が駆動容量限界を検出すると開錠動作後に動作停止するようにすれば、外出後帰宅してドアを開けることが確実に行え、外出時にロックしようとして電池が完全に消耗したことを知り、交換をすることになる。
【０００９】
【実施例】
次に、本発明の一実施例を示す図面を参照しながら説明する。
図１は、全体の構成を示すもので、電話器２に通報器３を連結していて、この通報器３はドアセンサ１２や赤外線センサからなる人感知センサ５及び煙センサ１４等からなる監視センサ１からの警報信号を入力し、警報器８を鳴動させたり電話器２へ警報信号を出力したりする。
【００１０】
本実施例では、電子ロック錠７、人監視センサ５、煙センサ１４及びリモコン１６を電池で駆動するようにしている。
また、通報器３は、監視センサ１を駆動する電池の電圧状態を電話器２を介して通報したり問い合わせに応じて回答したりする。
【００１１】
電話器２は、通報器３の出力を家屋所有者の携帯電話１５やその他知り合いや警察或いは消防署等へ通報登録設定した順序で順次通報する。
リモコン１６は、普段は通報器３の設定を在宅モードや外出モードに切り替えることに使い、体の不自由な人に持たせて緊急時に前記通報器３へ救助依頼信号を送れるようにするもので、監視センサ１の一種として機能する。
【００１２】
図２は、通報器３の詳細を示すもので、ボタン１２はこれを押してリモコン１６を押すことでこのリモコン１６からの信号を専用リモコンと認識するようになる。ボタン１３は、通報先の電話番号を登録するもので、これを押して電話器２で通報先の電話番号を登録する。ボタン１７は、これを押すことで通報先の電話番号を表示し、通報先表示の最後に最優先通報先を指定できるようにしている。ボタン１８は、これを押して所有者確認の暗証番号を記憶させ、警戒の入り切りを行う。在宅時には、警戒解除に設定し、外出時に警戒入りにする。
１０は入力番号等を表示する液晶表示部、１９は監視センサ１からの信号電波を受けるアンテナである。
【００１３】
図３は、電子ロック錠７の構造を示すもので、開閉するドア２０側に取り付ける駆動部２２には壁２１側に取り付ける係止具２７に対してロック用ロッド２４を出入りさせるモータ３５とギア３６及び乾電池２６を取り付けている。６ａ，６ｂはロッド２４の出入りを端部４１の位置で検出する錠センサである。４０はロッド２４をガイドするローラ、４２は電池２６の電圧をモニタリングする基盤である。
３７，３８は、ドア２０が閉じ位置にあるかどうかを検出する磁気検出センサである。
【００１４】
図４は、警報信号の流れを示す制御ブロック図で、錠センサ６ａ，６ｂ、人感知センサ５、煙センサ１４及びリモコン１６等の監視センサ１から警報信号が出力され入力器４を介して警報受信器１１内の演算装置４５に入力する。演算装置４５が警報を判別し不審者侵入、火事、開錠を判断し、ＲＯＭ４６に記憶した複数の通報先１５，３０，３１，３２へ電話器２を介して異常を示す警報信号音或いは合成音声で順次送信する。
【００１５】
また、電子ロック錠７、人感知センサ５、煙センサ１４及びリモコン１６からはそれぞれの駆動用電池の電圧が入力器４を介して警報受信器１１内の演算装置４５に入力する。演算装置４５が各電池の電圧をＲＯＭ１８に記憶したそれぞれの駆動限界電圧と比較し、限界電圧まで電圧が低下していると判断すると、ＲＯＭ４６に記憶した複数の通報先１５，３０，３１，３２へ電話器２を介して、電子ロック錠７、人感知センサ５、煙センサ１４或いはリモコン１６のどれの電池が電圧低下しているかの情報を異常警報信号音或いは合成音声で例えば１２時間毎等の所定時間毎に順次送信する。この電圧低下通報は、電池の交換があるまで繰り返し行うようにしている。
【００１６】
ＲＯＭ４６へは家屋の所有者が知り合いや警察及び携帯電話１５等の通報先１５，３０，３１，３２の電話番号を通報順位をつけて記憶する。
演算装置４５が判別する警報信号が侵入信号以外の火災や救助を求める救助依頼信号等であれば、複数の通報先１５，３０，３１，３２へ順次通報すると同時に、警報器８を直ちに鳴動するように制御する。
【００１７】
図５は、センサ１の電池消耗を通知する制御のフローチャート図である。
人感知センサ５、煙センサ１４或いはリモコン１６の各電池の電圧を検出し（Ｓ１）、個別に通報器３の演算装置４５へ電圧を入力（Ｓ２）する。
演算装置４５では、ＲＯＭ４６に記憶した各駆動部の限界電圧と比較（Ｓ３）し、入力した電圧が限界電圧以下であれば通報先１５，３０，３１，３２へ順次通知（Ｓ４）する。
この電池消耗の通知は電池が交換（Ｓ５）されるまで例えば１２時間ごとに通知することになる。電池が交換されて電圧が正常になれば通知を停止する。
【００１８】
図６は、電子ロック錠７の電池２６の消耗を通知する制御のフローチャート図で、制御基盤４２で電池２６の電圧ＢＶを検出してモニタリングしている。
電池２６の電圧ＢＶを制御基盤４０で検出（Ｓ１０）し、電圧ＢＶが２．３以上（Ｓ１１）であれば電池容量が充分であるから何もすることなく電圧検出を続ける。電圧ＢＶが２．３Ｖ未満になり２．１Ｖ以上（Ｓ１３）であると、電子ロック錠７を閉操作したときに警告音を４回鳴らしたり例えば１２時間毎に通報先１５，３０，３１，３２へ音声で「電池消耗が近づいています」と報告したりとの軽警報（Ｓ１２）を行う。
【００１９】
電池交換をせずに放置して電圧ＢＶが２．１Ｖ未満になり２Ｖ以上（Ｓ１５）になれば、電子ロック錠７を閉操作したときに警告音を８回鳴らしたり例えば６時間毎に通報先１５，３０，３１，３２へ音声で「電池の使用限界です」と報告したりとの重警報（Ｓ１４）を行う。
さらに電池交換を怠って電圧が２Ｖ未満になれば、電子ロック錠７の開錠動作のみ可能（Ｓ１６）で閉錠動作を出来なく（Ｓ１７）して、ドアを開けることは出来るが施錠することを出来なくなり、電池の交換をしなければ使用できなく（Ｓ１８）する。
【００２０】
電圧ＢＶは、ロック用ロッド２４の動きに抵抗があると電圧が低下するので、ドアが完全に閉まっていない状態を検出することにもなり、その際には直ちに重警報の警告が報知される。
なお、本実施例では、電話器２と通報器３が別々になっているが、電話機能と通報機能を一体に組み込んだ構成にしてもよい。
【図面の簡単な説明】
【図１】本発明の実施例における全体構成斜視図である。
【図２】本発明の実施例における一部の拡大平面図である。
【図３】本発明の実施例における一部の拡大側断面図である。
【図４】本発明の実施例における制御ブロック図である。
【図５】本発明の実施例における制御フローチャート図である。
【図６】本発明の実施例における制御フローチャート図である。
【符号の説明】
７　電子ロック錠
２６　電池
４２　モニター手段（制御基盤）
【図１】
2004100424.tif 000003
【図２】
2004100424.tif 000004
【図３】
2004100424.tif 000005
【図４】
2004100424.tif 000006
【図５】
2004100424.tif 000007
【図６】
2004100424.tif 000008